(57)【要約】【課題】保育器が備える各種医療機器の操作を、取扱者が医療処置中においても容易に行うことができ、患者の交差感染のリスクを低減できる保育器を提供する。【解決手段】保育器は、取扱者が複数の医療機器の操作を行うことが可能な操作部と、前記医療機器及び前記操作部を管理する制御部とを備え、前記操作部は、前記取扱者が手以外の箇所で操作可能な第１操作部を備え、前記制御部は、複数の前記医療機器のうちからいずれかの医療機器の操作を選択して前記第１操作部に割り当てる選択手段と、前記第１操作部に選択された前記医療機器の操作を実行する実行手段とを備え、前記選択手段と前記実行手段とは、前記第１操作部が操作されたときの操作情報の違いに基づいて制御される。【選択図】      図１
2018121732.tif 000002
【特許請求の範囲】
【請求項１】
取扱者が複数の医療機器の操作を行うことが可能な操作部と、前記医療機器及び前記操作部を管理する制御部とを備え、
前記操作部は、前記取扱者が手以外の箇所で操作可能な第１操作部を備え、
前記制御部は、複数の前記医療機器のうちからいずれかの医療機器の操作を選択して前記第１操作部に割り当てる選択手段と、前記第１操作部に割り当てられた前記医療機器の操作を実行する実行手段とを備え、
前記選択手段と前記実行手段とは、前記第１操作部が操作されたときの操作情報の違いに基づいて制御されることを特徴とする保育器。
【請求項２】
前記操作情報は、前記第１操作部が操作された操作時間情報とされることを特徴とする請求項１に記載の保育器。
【請求項３】
前記医療機器の動作状況及び患者の情報を表示可能な表示部を備えており、
前記選択手段は、
前記第１操作部を選択操作時間以内で操作したときに、前記表示部に、複数の前記医療機器のうちのいずれかの操作を前記第１操作部に割り当てるための選択画面を表示する選択画面表示手段と、
前記選択画面の表示に続けて前記第１操作部を前記選択操作時間以内で繰り返し操作したときに、前記第１操作部に割り当てられる前記医療機器の操作を切り替える操作切替手段と、
前記第１操作部にいずれかの前記医療機器の操作が割り当てられた状態で、前記第１操作部を前記選択操作時間を超えて操作したときに、その操作時点において割り当てられている前記医療機器の選択を確定する操作確定手段とを備え、
前記実行手段は、
前記医療機器の選択が確定された状態で、前記第１操作部を操作したときに、その操作時点において選択されている前記医療機器の操作を実行する手段とされることを特徴とする請求項１又は２に記載の保育器。
【請求項４】
前記第１操作部が、前記取扱者が足で操作可能であるペダル操作部であることを特徴とする請求項１から３のいずれか一項に記載の保育器。
【請求項５】
前記操作部は、前記取扱者が手で操作可能な第２操作部を備えることを特徴とする請求項１から４のいずれか一項に記載の保育器。
【発明の詳細な説明】
【技術分野】
【０００１】
本発明は、新生児などの患者の医療処置に用いる開放型保育器、閉鎖型保育器兼用の開放型保育器、児蘇生処置用装置等の保育器に関する。
【背景技術】
【０００２】
一般的な保育器は、新生児などの患者を適切な環境下におき、適切な診察や医療処置を行えるようにするため、患者を温める加熱器や、患者に対する蘇生処置期間及び評価期間を計数するタイマ、患者の呼吸数や心音計測を行うセンサ等の種々の医療機器を備えている。そして、保育器には、これらの医療機器の操作や患者の状況等の情報を容易に把握できるようにするため、医師や看護師等の取扱者（医療従事者）が視認しやすい位置に、これらの情報を表示する表示部と、各装置の制御等を行う操作部とが配置されている。
【０００３】
例えば、特許文献１には、新生児蘇生用タイマを内蔵した開放型保育器（インファントウォーマ）が開示されており、この保育器には、臥床台の後端部とキャノピとを接続する上側支柱の前側面に、キャノピに隣接するように、制御機能及び表示機能を有する制御・表示部が配設されている。
【０００４】
また、特許文献２には、児を収容可能なエンクロージャを有する保育器が開示されており、この保育器は、エンクロージャ内の保育環境についての情報を表示することができる表示ユニットと、この表示ユニットが取り付けられる取り付け箇所と、表示ユニットを取り付け箇所に取り付けることができる取り付け機構とを備えている。そして、この特許文献２には、取り付け機構が吸盤式の吸着手段を備えており、取扱者が表示部を視認しやすい箇所（例えばエンクロージャの天面フードの天板部の外側面）に取り付けることで、エンクロージャ内の保育環境についての情報を比較的簡単に知得でき、さらに表示ユニットの操作部を操作することで、保育器の運転状況の変更又は切替を行えることが記載されている。
【先行技術文献】
【特許文献】
【０００５】
【特許文献１】特開２００９‐４５３０５号公報
【特許文献２】特開２０１３‐２３３３３５号公報
【発明の概要】
【発明が解決しようとする課題】
【０００６】
特許文献１又は特許文献２に記載されているように、保育器の表示部や操作部は、取扱者の視認しやすい箇所、すなわち、保育器の比較的高い位置に配置されており、取扱者は操作部を手で操作する必要があった。このため、医師等の取扱者は、患者の医療処置中に両手が塞がっている状態では操作部を操作できず、医療処置を中断するか、若しくは医療処置を施す取扱者（医師等）とは別の者が操作部の操作を補助する必要があった。また、医師等の取扱者自身が、医療処置を中断して操作部を操作する場合には、汚染された状態の操作部に取扱者の手が直接触れることで、操作部及び取扱者の手を介して患者に感染する交差感染が生じるおそれがあり、衛生面で問題があった。
【０００７】
本発明は、このような事情に鑑みてなされたもので、保育器が備える各種医療機器の操作を、取扱者が医療処置中においても容易に行うことができ、患者の交差感染のリスクを低減できる保育器を提供することを目的とする。
【課題を解決するための手段】
【０００８】
本発明の保育器は、取扱者が複数の医療機器の操作を行うことが可能な操作部と、前記医療機器及び前記操作部を管理する制御部とを備え、前記操作部は、前記取扱者が手以外の箇所で操作可能な第１操作部を備え、前記制御部は、複数の前記医療機器のうちからいずれかの医療機器の操作を選択して前記第１操作部に割り当てる選択手段と、前記第１操作部に割り当てられた前記医療機器の操作を実行する実行手段とを備え、前記選択手段と前記実行手段とは、前記第１操作部が操作されたときの操作情報の違いに基づいて制御される。
【０００９】
本発明の保育器では医療機器の操作を行う操作部として、取扱者が手以外の箇所、例えば足、膝、肘等で操作することが可能な第１操作部を備えることとしたので、取扱者は、医療処置を中断することなく（医療処置を継続しながら）、各種医療機器を操作できる。また、取扱者は、第１操作部自体の操作により各種医療機器を選択し、その操作を実行することができ、第１操作部により両手を使用せずに、つまり第１操作部に手を触れることなく各種医療機器を操作できるので、これらの操作に伴う患者への交差感染を防止できる。さらに、複数備えられている各医療機器の操作を一箇所の第１操作部に割り当てることで、医療機器毎に複数の操作部を設ける必要がなく、保育器の構成を簡略化できる。また、一箇所の第１操作部を操作するだけで各医療機器を操作できるので、取扱者も容易に操作することできる。
【００１０】
本発明の保育器において、前記操作情報は、前記第１操作部が操作された操作時間情報とされるとよい。
【００１１】
操作情報は、例えば各医療機器の操作を行う第１操作部自体の操作時間の長さや、操作回数、操作位置の違い等とされ、いずれも採用できるが、第１操作部自体の操作時間情報に基づいて選択手段と実行手段とを制御可能とすることで、他の操作回数情報や操作位置情報等により制御する場合と比べて、取扱者は容易に各種医療機器の操作を実行できる。
例えば第１操作部に対する操作回数情報で制御する場合は、第１操作部を何度も踏みなおす必要があるため操作が煩雑になり、入力回数ミス等が生じるおそれがある。また、第１操作部に対する操作位置情報で制御する場合は、第１操作部の踏むべき位置を目視で確認する必要が生じて操作が面倒になることや、第１操作部に複数の検出スイッチを配置する必要があるためコストが高くなることがある。この点、操作時間情報による制御を行うことで、操作回数情報や操作位置情報による制御を行う場合のような、煩雑さや面倒を回避できる。
【００１２】
本発明の保育器は、前記医療機器の動作状況及び患者の情報を表示可能な表示部を備えており、前記選択手段は、前記第１操作部を選択操作時間以内で操作したときに、前記表示部に、複数の前記医療機器のうちのいずれかの操作を前記第１操作部に割り当てるための選択画面を表示する選択画面表示手段と、前記選択画面の表示に続けて前記第１操作部を前記選択操作時間以内で繰り返し操作したときに、前記第１操作部に割り当てられる前記医療機器の操作を切り替える操作切替手段と、前記第１操作部にいずれかの前記医療機器の操作が割り当てられた状態で、前記第１操作部を前記選択操作時間を超えて操作したときに、その操作時点において割り当てられている前記医療機器の選択を確定する操作確定手段とを備え、前記実行手段は、前記医療機器の選択が確定された状態で、前記第１操作部を操作したときに、その操作時点において選択されている前記医療機器の操作を実行する手段とされる。
【００１３】
取扱者は、表示部により医療機器の動作状況及び患者の情報を容易に視認できることから、手以外の箇所で操作する第１操作部であっても、医療機器の動作状況及び患者の情報を正確に把握しながら容易に操作できる。また、第１操作部に割り当てられる医療機器は、取扱者が表示部において容易に確認できるので、操作ミス等のリスクも回避できる。
【００１４】
本発明の保育器において、前記第１操作部が、前記取扱者が足で操作可能であるペダル操作部であるとよい。
【００１５】
手から離れた足で操作可能であるペダル操作部を第１操作部とし、足で第１操作部を操作可能とすることで、手に近い肘等で操作する場合と比べて、第１操作部の操作中における取扱者の両手の動きに与える影響を小さくできる。したがって、取扱者は、各種医療機器の操作を医療処置中においても容易に、かつ確実に行うことができる。
【００１６】
本発明の保育器において、前記操作部は、前記取扱者が手で操作可能な第２操作部を備えるとよい。また、前記第２操作部は、前記表示部とともに、又は該表示部に隣接して配置されるとよい。
【００１７】
取扱者が手以外の箇所で操作可能な第１操作部に加えて、特許文献１又は特許文献２に記載されるような従来の保育器と同様に、取扱者が手で操作することが可能である第２操作部を備える構成とすることにより、保育器を従来と同様の手段によっても操作できる。
この場合、第２操作部は、タッチパネル式の表示部により構成することで、表示部と兼用の第２操作部とすることもできるし、表示部に隣接した近い位置に操作ボタンを配置することにより個別の第２操作部とすることもできる。
【発明の効果】
【００１８】
本発明によれば、医師等の取扱者は、医療処置中においても各種医療機器の操作を操作部に手を直接触れることなく容易に操作できるので、操作に伴う交差感染を防ぐことができる。
【図面の簡単な説明】
【００１９】
【図１】本発明の実施形態を示す開放型保育器の斜視図である。
【図２】図１に示す開放型保育器のブロック図である。
【図３】図１に示す開放型保育器の表示部の初期の表示画面であるアイドル画面の正面図である。
【図４】選択画面を表示した表示部の表示画面の正面図であり、昇降手段の昇降操作スイッチを選択した状態を示す。
【図５】選択画面の正面図であり、（ａ）が昇降手段の昇降操作スイッチを選択した選択画面、（ｂ）が蘇生治療用タイマの計数開始用スイッチを選択した選択画面、（ｃ）が警報音停止スイッチを選択した選択画面、（ｄ）が照明灯の点灯・消灯スイッチを選択した選択画面である。
【図６】確定画面を表示した表示部の表示画面の正面図である。
【図７】確定画面の正面図であり、（ａ）が昇降手段の昇降操作スイッチを選択した確定画面、（ｂ）が蘇生治療用タイマの計数開始用スイッチを選択した確定画面、（ｃ）が警報音停止スイッチを選択した確定画面、（ｄ）が照明灯の点灯・消灯スイッチを選択した確定画面である。
【図８】図１に示す開放型保育器の第１操作部のフローチャートである。
【発明を実施するための形態】
【００２０】
以下、本発明を開放型保育器（いわゆる、インファントウォーマ）に適用した実施形態について説明する。
【００２１】
［保育器の全体構成］
本実施形態の保育器（開放型保育器）１０１は、図１に全体を示したように、キャスター１７により移動自在な脚部１６と、脚部１６に立設された下側の支柱１５（以下、下側支柱と称す。）と、下側支柱１５の上端部に固定された基台１１と、基台１１の上に取り付けられた臥床台１２及び基台１１の上に立設された上側の支柱１３（以下、上側支柱と称す。）と、上側支柱１３の上端部に片持ち支持されたキャノピ１４とを備えている。また、保育器１０１の基台１１には、図１に示すように、備品等を収容可能な収納ケース１８が設けられており、上側支柱１３の左右両側面には、各種の物品（図示略）を取り付ける際に用いることができる取付レール１９が固定されている。
【００２２】
保育器１０１の下側支柱１５は昇降手段により構成されており、基台１１及び基台１１に配設された臥床台１２、上側支柱１３、キャノピ１４、収納ケース１８等が、脚部１６に対して昇降移動可能に設けられている。以下、下側支柱と昇降手段とに、共通の符号１５を付して表す。なお、昇降手段１５は、特に限定されるものではなく、電動のアクチュエータ等の各種の駆動手段を用いることができる。
【００２３】
臥床台１２の上には、新生児などの患者を寝かせること（横たわらせること）が可能なベッド部２１が構成されており、ベッド部２１にはマット２２が配置されている。さらに、臥床台１２のベッド部２１には、マット２２上の患者がベッド部２１から落下することを防止するための落下防止板２３が設けられており、落下防止板２３は、ベッド部２１上のマット２２を四方から包囲するように４枚配設されている。
【００２４】
キャノピ１４は、ベッド部２１の上面に対向するように配置され、マット２２の上面に熱線を放射することができる加熱器（ヒータ）４１及び、マット２２の上面を照らすための照明灯４２（図２参照）が内蔵されている。
また、保育器１０１には、図２にブロック図に示すように、前述した昇降手段１５、加熱器４１、照明灯４２等以外にも、蘇生治療用タイマ４３や、体温プローブを介して患者の体温を測定する体温計４４、脈拍数及びＳＰＯ２（血中酸素飽和度）を測定するパルスオキシメータ４５、酸素ブレンダやマノメータ等を有する蘇生治療装置４６、警報音を発報する警報装置４７等の各種の医療機器が備えられている。なお、蘇生治療装置４６は、ベッド部２１に近い位置の上側支柱１３の前側面の下側部分に配設されている。
【００２５】
また、保育器１０１には、図２のブロック図に示すように、上記の医療機器１５，４１〜４６の動作状況や患者の情報を表示可能な表示部３１と、取扱者による医療機器の操作を可能とする操作部５１，５２とが備えられており、さらに、これらの表示部３１及び操作部５１，５２並びに各種の医療機器１５，４１〜４７等を管理するための制御部５５（コンピュータ）が内蔵されている。そして、制御部５５は、入力部に接続された操作部５１，５２等からの信号を受信して、出力部に接続された表示部３１及び各種の医療機器１５，４１〜４７等を制御する構成とされる。
【００２６】
表示部３１は、図１に示すように、上側支柱１３の前側面の上側部分に取り付けられており、取扱者が視認しやすい位置に配設されている。前述したように、保育器１０１には、患者の体温を測定する体温計４４、脈拍数及びＳＰＯ２を測定するパルスオキシメータ４５等が備えられており、表示部３１には、例えば図３に示すように、これらのデータを表示する患者の体温表示部６４、心拍数表示部６５、ＳＰＯ２表示部６６等が設けられている。なお、上側支柱１３には、表示部３１の下側の見えやすい位置に、保育器１０１の電源のオン・オフを行う電源スイッチ４８が備えられている。
【００２７】
また、保育器１０１には、複数の操作部５１，５２が配設されており、取扱者が手以外の箇所で操作可能な第１操作部５１と、取扱者が手で操作可能な第２操作部５２とを有している。
図１に示すように、保育器１０１には、表示部３１から離れた脚部１６に、つまり、取扱者が足で容易に操作可能な位置に、前後一対のペダル操作部５３，５４が設けられており、このペダル操作部５３，５４が本発明の第１操作部５１とされる。なお、図示は省略するが、保育器１０１には、左側と右側とのそれぞれに一対のぺダル操作部５３，５４（第１操作部５１）が設けられており、保育器１０１の左右のどちら側からでも共通の操作が行えるようになっている。
【００２８】
また、保育器１０１では、表示部３１が表示機能とともに入力機能を兼ね備えるタッチパネル式のモニタにより構成されており、表示部３１が表示機能の他にも第２操作部５２として機能する。したがって、保育器１０１では、ペダル操作部５３，５４（第１操作部５１）を操作するか、又は表示部３１（第２操作部５２）の表示画面上に表示された操作スイッチを操作する（押す）ことにより、各種の医療機器への入力操作が行えるようになっている。
【００２９】
なお、表示部３１を第２操作部５２と兼用させずに、表示部３１に隣接する近い位置に個別の操作部（第２操作部）を配設することもできる。この場合には、第２操作部５２は保育器１０１の比較的高い位置（上側支柱１３の上側）に配置されていることから手で操作する必要があるが、第２操作部５２が表示部３１とともに、又は表示部３１に隣接して配置されているので、表示部３１を容易に確認しながら操作が行える。
【００３０】
［保育器の動作］
次に、保育器１０１の動作について説明する。
まず、保育器１０１の電源スイッチ４８をオンにする。電源スイッチ４８が入れられると、制御部５５はセルフチェックを行い、体温計４４等の各種の医療機器の接続状態等が正常であるかを確認する。セルフチェックが正常に終了した場合は、保育器１０１の運転が開始され、表示部３１には、図３に示すように、初期の表示画面であるアイドル画面３２が表示される。
【００３１】
なお、表示部３１は、アイドル画面３２以外にも、複数の表示画面を切り替えて表示可能とされる。また、保育器１０１の表示部３１は、前述したようにタッチパネル式のモニタにより構成されていることから、例えば図３に示されるアイドル画面３２の左下部に備えられる切替操作スイッチ６１ａ〜６１ｅを押すことにより、初期画面であるアイドル画面３２から別の表示画面に切り替えることができる。
【００３２】
図３のアイドル画面３２には、保育器１０１の環境や患者の情報等の各種の情報が表示されるとともに、各種の医療機器を動作させるための操作スイッチが表示されている。例えば符号６２は、加熱器４１の最大出力（定格）に対して希望する出力値を表示するヒータ出力表示部とされ、このヒータ出力表示部６２は、希望する出力値（％）を数字で表示する数値表示部６２ａと、出力値を図式化して表示する段階（レベル）表示部６２ｂとを有している。また、数値表示部６２ａの近くには、加熱器４１の出力を変更するための出力変更スイッチ６２ｃ，６２ｄが設けられており、これらの出力変更スイッチ６２ｃ，６２ｄ（第２操作部５２）を押すことで、加熱器４１の出力を増減できる。なお、左側の出力変更スイッチ６２ｃが減少スイッチとされ、右側の出力変更スイッチ６２ｄが増加スイッチとされる。
【００３３】
また、符号６３は、警報装置４７の警報音停止スイッチであり、警報音の発報中にこの警報音停止スイッチ６３を押すことにより、警報音を停止させることができる。また、前述したように、保育器１０１には、体温計４４及びパルスオキシメータ４５が備えられており、表示部３１のアイドル画面３２には、これらのデータを表示するための患者の体温表示部６４、心拍数表示部６５、ＳＰＯ２表示部６６が設けられている。なお、体温表示部６４には、胴部体温表示部６４ａと足部体温表示部６４ｂとの２つが設けられており、胴部体温表示部６４ａは患者の胴体の体温を表示する構成とされ、足部体温表示部６４ｂは患者の足の体温を表示する構成とされている。
【００３４】
また、符号６７は、蘇生治療用タイマ４３のタイマ表示部である。このタイマ表示部６７は、全経過時間を数字で表示する経過時間表示部６７ａと、１秒ごとに０から６まで順次点灯して表示するための秒ポイント表示部６７ｂとを備えている。経過時間表示部６７ａは、４桁の数字を表示し得るように構成されている。なお、アイドル画面３２のタイマ表示部６７は、経過時間表示部６７ａに計数を開始させるための計数開始用スイッチを兼ねており、このタイマ表示部６７の表示領域を蘇生治療用タイマ４３の計数オフ状態で押す（タッチする）ことで、経過時間の計数を開始させることができる。また、この計数中にタイマ表示部６７の表示領域をもう一度（再度）、押して操作すると、経過時間の計数を終了させることができ、保育器１０１に内蔵される蘇生治療用タイマ４３がリセットされる。
【００３５】
蘇生治療用タイマ４３は、一般的には新生児の出生時に操作されるものであり、経過時間表示部６７ａには、新生児の出生時からの経過時間が分及び秒で表示される。なお、図３では、経過時間表示部６７ａが時および分で表示される構成とされているが、時、分および秒で表示される構成としてもよい。
なお、秒ポイント表示部６７ｂは、２つの新生児蘇生処置時間の間に設けられるべき新生児評価期間を表示するためのものである。この秒ポイント表示部６７ｂは、左端の０番目のポイント表示子６８ａから右端の６番目のポイント表示子６８ｇまでの７個のポイント表示子６８ａ〜６８ｇを備えており、６秒間の新生児評価期間の開始時点から終了時点までにおいて、１秒間隔でもって順次点灯するように構成されている。
【００３６】
このように、保育器１０１では、表示部３１の表示画面上に表示された各種の操作スイッチ（第２操作部５２）を操作することにより、保育器１０１に備えられた各種の医療機器への入力操作を行えるようになっている。一方で、前述したように、保育器１０１にはペダル操作部５３，５４（第１操作部５１）が備えられており、ペダル操作部５３，５４を操作することによっても、保育器１０１に備えられた各種の医療機器への入力操作を行えるようになっている。
【００３７】
第１操作部５１による保育器１０１の動作について、図３〜図７に示す表示部３１の表示画面および図８に示す第１操作部５１のフローチャートを用いて説明する。
保育器１０１では、ペダル操作部５３，５４（第１操作部５１）を、複数備えられる医療機器１５，４１〜４７のうちの、昇降手段１５の昇降操作スイッチと、蘇生治療用タイマ４３の計数開始用スイッチと、警報装置４７の警報音停止スイッチと、照明灯４２の点灯・消灯スイッチとして使用可能としている。そして、保育器１０１の制御部５５には、これらの医療機器１５，４２，４３，４７のうちからいずれかの医療機器の操作を選択して第１操作部５１に割り当てる選択手段と、第１操作部５１に割り当てられた医療機器の操作を実行する実行手段とが備えられており、これらの選択手段と実行手段とは、第１操作部５１であるペダル操作部５３，５４が操作されたときの操作情報の違いに基づいて制御される。操作情報は、例えば第１操作部５１自体の操作時間の長さや、操作回数、操作位置の違い等とされるが、保育器１０１では、ペダル操作部５３，５４が操作された操作時間情報の違いに基づいて、選択手段と実行手段とが制御されるようなっている。なお、計数開始用スイッチや警報音停止スイッチは、表示部３１のアイドル画面３２（符号６７，６３）にも表示されており、第１操作部５１ではなく、アイドル画面３２の操作スイッチ６７，６３を押すことにより、操作することもできる。
【００３８】
保育器１０１の通常の運転状態（アイドル状態）では、表示部３１には、図３に示すアイドル画面３２が表示されている。そして、図９のフローチャートに示されるように、この保育器１０１のアイドル状態において、ペダル操作部５３，５４（第１操作部５１）のいずれかを足で踏んで操作すると（ステップＳ１１のペダル操作）、制御部５５は、ステップＳ１１からステップＳ１２へ移行する。ステップＳ１２では、ペダル操作の操作時間を確認し、操作時間が選択操作時間（この場合、１秒間）以内であるかを判断する。そして、ペダル操作の操作時間が選択操作時間以内のときは、ステップＳ１２からステップＳ１３に移行し、図４に示すように、表示部３１に選択画面７１が表示されているかを確認する。表示部３１に選択画面７１が表示されていない場合は、ステップＳ１３からステップＳ１４に移行して、表示部３１に選択画面７１を表示する。このステップＳ１１からステップＳ１４までの処理を実行する手段が、本発明の選択画面を表示する選択画面表示手段に相当し、制御部５５により実行される。
【００３９】
この場合、選択画面７１には、図４及び図５に示すように、第１操作部５１により操作可能とされる昇降手段１５の昇降操作スイッチを表すアイコン７１ａと、蘇生治療用タイマ４３の計数開始用スイッチを表すアイコン７１ｂと、警報音停止スイッチを表すアイコン７１ｃと、照明灯４２の点灯・消灯スイッチを表すアイコン７１ｄとの、４つのアイコン７１ａ〜７１が表示される。また、図５（ａ）〜（ｄ）に示すように、直近に第１操作部５１に割り当てられていた操作を表すアイコン７１ａ〜７１ｄのいずれかの下にカーソル７３を表示し、カーソル７３により選択されたアイコンが示す医療機器の操作に第１操作部５１が割り当てられる。例えば図４及び図５（ａ）では、昇降手段１５を表すアイコン７１ａの下にカーソル７３が表示されており、第１操作部５１が昇降手段１５の昇降操操作スイッチに割り当てられた状態を表している。このステップＳ１４では、第１操作部５１が昇降手段１５の操作スイッチに割り当てられた状態であるとして、説明を進める。
【００４０】
次に、ステップＳ１４から再びステップＳ１１に移行し、ペダル操作部５３，５４が再び操作されたかを判断する。そして、ペダル操作部５３，５４が操作されたときはステップＳ１２に移行し、ペダル操作部５３，５４が操作されなかったときはステップＳ１５に移行する。
ステップＳ１５では、ペダル操作部５３，５４の非操作時間が表示解除時間（この場合、３秒間）以内であるかを判断する。つまり、表示解除時間以内にペダル操作部５３，５４が操作されたときはステップＳ１２に移行し、表示解除時間以内に（表示解除時間を超えて）ペダル操作部５３，５４が操作されなかったときはステップＳ１６に移行する。ステップＳ１６では、表示部３１の選択画面７１を消去し、表示部３１の表示画面をアイドル画面３２に戻す。
【００４１】
一方、ステップＳ１５において、表示解除時間以内にペダル操作部５３，５４が操作されたときはステップＳ１２に移行する。そして、ステップＳ１２においてペダル操作の操作時間を確認し、操作時間が選択操作時間以内であるかを判断する。操作時間が選択操作時間以内のときは、ステップＳ１２からステップＳ１３に移行する。表示部３１には、図５（ａ）に示すように、すでに選択画面７１が表示され、第１操作部５１が昇降手段１５の昇降操作スイッチ（アイコン７１ａ）に割り当てられた状態とされていることから、ステップＳ１３からステップＳ１７に移行する。ステップＳ１７では、第１操作部５１の割り当てを、すでに選択されている昇降操作スイッチの操作（アイコン７１ａ）から蘇生治療用タイマ４３の計数開始用スイッチの操作（アイコン７１ｂ）に切り替え、図５（ｂ）に示すように、カーソル７３をアイコン７１ｂの下に表示する。このステップＳ１４の後にステップＳ１１からステップＳ１７までの処理を実行する手段が、本発明における第１操作部５１に割り当てられる医療機器の操作を切り替える操作切替手段に相当し、制御部５５により実行される。
【００４２】
そして、ステップＳ１７から再びステップＳ１１に移行し、ペダル操作部５３，５４が再び操作されたかを判断する。そして、ペダル操作部５３，５４が操作されたときはステップＳ１２に移行し、ペダル操作部５３，５４が操作されなかったときはステップＳ１５に移行する。前述したように、ステップＳ１５では、ペダル操作部５３，５４の非操作時間が表示解除時間（この場合、３秒間）以内であるかを判断し、表示解除時間以内にペダル操作部５３，５４が操作されたときはステップＳ１２に移行し、表示解除時間以内に（表示解除時間を超えて）ペダル操作部５３，５４が操作されなかったときはステップＳ１６に移行する。
【００４３】
このように、保育器１０１では、ペダル操作部５３，５４を選択操作時間以内で繰り返し操作することで、図５（ａ）〜（ｄ）に示すように、第１操作部５１に割り当てられる医療機器の操作を順次切り替えることができる。なお、この場合において、左右のペダル操作部５３，５４のうちのどちらかを操作するかによって、医療機器の操作の切り替え順序を変更することもできる。例えば、左側のペダル操作部５３を操作した場合には、カーソル７３を左側に移動させて各医療機器の操作を左回りに切り替えることとし、右側のペダル操作部５４を操作した場合には、カーソル７３を右側に移動させて各医療機器の操作を右回りに切り替えることにしてもよい。
【００４４】
次に、図４及び図５（ａ）に示すように、すでに選択画面７１が表示され、第１操作部５１が昇降手段１５の昇降操作スイッチ（アイコン７１ａ）に割り当てられた状態において、ペダル操作部５３，５４が選択操作時間を超えて長く操作されたときは、ステップＳ１２からステップＳ２１、Ｓ２２に移行する。ステップＳ２１では、ペダル操作時点において第１操作部５１に割り当てられている医療機器の操作、ここでは昇降手段１５の昇降操作スイッチ（アイコン７１ａ）に選択を確定する。このステップＳ１７の後にステップＳ１１からステップＳ２１までの処理を実行する手段が、本発明の医療機器の選択を確定する操作確定手段に相当し、制御部５５により実行される。
【００４５】
そして、ステップＳ２２では、図６及び図７（ａ）に示すように、表示部３１に確定画面７４を表示する。確定画面７４には、第１操作部５１への割り当てが確定された昇降手段１５のアイコン７１ａのみが表示される。なお、昇降手段１５以外の医療機器の選択が確定された場合には、図７（ｂ）〜（ｄ）に示すいずれかの確定画面７４が表示される。また、ここまでの選択画面表示手段から操作確定手段まで（選択画面表示手段、操作切替手段、操作確定手段）が、本発明の選択手段とされる。
【００４６】
図６及び図７（ａ）に示すように、第１操作部５１に昇降手段１５の昇降操作スイッチ（アイコン７１ａ）が割り当てられ、選択が確定された状態において、ペダル操作部５３，５４が操作されたときは、ステップＳ２３からステップＳ２４、Ｓ２５に移行する。ステップＳ２４では、選択が確定されている医療機器の操作、ここでは昇降手段１５の昇降操作スイッチ（アイコン７１ａ）に選択が確定されており、昇降手段１５の動作が実行（開始）される。このステップＳ２２の後にステップＳ２３からステップＳ２４までの処理を実行する手段が、本発明の医療機器の操作を実行する実行手段に相当し、制御部５５により実行される。
【００４７】
具体的には、取扱者が第１操作部５１のペダル操作部５３を足で押圧操作することで、基台１１が下降移動し、基台１１とともに、この基台１１に取り付けられている臥床台１２等も下降移動される。一方、取扱者がペダル操作部５４を足で押圧操作することで、基台１１が上昇移動し、基台１１とともに、この基台１１に取り付けられている臥床台１２等も上昇移動される。
【００４８】
次に、ステップＳ２４から再びステップＳ２３に移行し、ペダル操作部５３，５４が再び操作されたかを判断する。そして、ペダル操作部５３，５４が操作されたときはステップＳ２４に移行し、ペダル操作部５３，５４が操作されなかったときはステップＳ２５に移行する。
ステップＳ２５では、ペダル操作部５３，５４の非操作時間が表示解除時間（３秒）以内であるかを判断する。つまり、表示解除時間以内にペダル操作部５３，５４が操作されたときはステップＳ２４に移行し、表示解除時間以内に（表示解除時間を超えて）ペダル操作部５３，５４が操作されなかったときはステップＳ１６に移行する。
【００４９】
そして、ステップＳ２５において、表示解除時間以内にペダル操作部５３，５４が操作されたときは、ステップＳ２４に移行する。図６及び図７（ａ）に示すように、第１操作部５１には昇降手段１５の昇降操作スイッチ（アイコン７１ａ）が割り当てられ、選択が確定された状態が維持されているので、ステップＳ２４では、前述したように、昇降手段１５の動作が実行される。
ステップＳ２５において、表示解除時間以内にペダル操作部５３，５４が操作されなかったときは、ステップＳ１６に移行する。ステップＳ１６では、表示部３１の確定画面７４を消去し、表示部３１の表示画面をアイドル画面３２に戻す。
【００５０】
なお、保育器１０１では、図４〜図８に示すように、選択画面７１と確定画面７４とに、これらの画面７１，７４を閉じる（表示画面から消去する）ためのスイッチ７２が表示されている。そして、表示部３１に選択画面７１又は確定画面７４が表示されているときに、表示部３１のスイッチ７２を手で操作することにより、表示解除時間（３秒）以内であっても強制的に選択画面７１や確定画面７４を閉じて、アイドル画面３２を表示させることができる。したがって、アイドル画面３２の操作スイッチを操作することにより、各医療機器を操作することもできる。
【００５１】
また、上記の保育器１０１では、第１操作部５１に割り当てられる医療機器の操作を、昇降手段１５の昇降操作スイッチと、蘇生治療用タイマ４３の計数開始用スイッチと、警報装置４７の警報音停止スイッチと、照明灯４２の点灯・消灯スイッチとの４つとしていたが、第１操作部５１に割り当てられる医療機器の操作は、これらの４つの操作に限定されるものではなく、医療機器の種類も上記実施形態のものに限定されるものではない。例えば、第１操作部５１に割り当てられる医療機器の数を３つ以下にすることや、５つ以上にすることもできるし、医療従事者のニーズに合わせて種々の医療機器の操作を第１操作部５１に割り当ててカスタマイズできる。
【００５２】
このように、本実施形態の保育器１０１では、医療機器の操作を行う操作部として、取扱者が手以外の箇所、例えば足、膝、肘等で操作することが可能な第１操作部５１を備えることとしたので、取扱者は、医療処置を中断することなく（医療処置を継続しながら）、各種医療機器を操作できる。また、取扱者は、表示部３１により医療機器の動作状況及び患者の情報を容易に視認できることから、手以外の箇所で操作する第１操作部５１であっても、医療機器の動作状況及び患者の情報を正確に把握しながら容易に操作できる。さらに、取扱者は、第１操作部５１自体の操作により各種医療機器を選択し、その操作を実行でき、第１操作部５１により両手を使用せずに、つまり第１操作部５１に手を触れることなく各種医療機器を操作できるので、これらの操作に伴う患者への交差感染を防止できる。
【００５３】
また、本実施形態の保育器１０１のように、各医療機器の操作を一箇所の第１操作部５１に割り当てることで、医療機器毎に複数の操作部を設ける必要がなく、保育器１０１の構成を簡略化できる。また、一箇所の第１操作部５１を操作するだけで各医療機器を操作できるので、取扱者も容易に操作することができる。さらに、第１操作部に割り当てられる医療機器は、取扱者が表示部３１において容易に確認できるので、操作ミス等のリスクも回避できる。
【００５４】
また、保育器１０１では、手から離れた足で操作可能であるペダル操作部５３，５４を第１操作部５１とし、足で第１操作部５１を操作可能としたので、手に近い肘等で操作する場合と比べて、第１操作部５１の操作中における取扱者の両手の動きに与える影響を小さくできる。したがって、取扱者は、各種医療機器の操作を医療処置中においても容易に、かつ確実に行うことができる。
【００５５】
また、保育器１０１では、第１操作部５１に加えて、取扱者が手で操作することが可能な第２操作部５２を備える構成としたので、保育器１０１を従来と同様の手段によっても操作でき、取扱者の操作性を向上できる。
【００５６】
なお、本発明は上記実施形態に限定されるものではなく、本発明の趣旨を逸脱しない範囲において種々の変更を加えることが可能である。
例えば、上記実施形態の保育器１０１では、第１操作部５１をペダル操作部５３，５４により構成していたが、第１操作部５１はこれに限定されるものではない。取扱者が手以外の箇所、足以外にも例えば膝、肘等で操作することが可能な操作部により、第１操作部５１を構成することとしても良い。このように、手以外の箇所で操作可能な第１操作部を設けることで、取扱者は医療処置を中断することなく（医療処置を継続しながら）、各種医療機器を操作できる。
【符号の説明】
【００５７】
１１  基台
１２  臥床台
１３  上側支柱
１４  キャノピ
１５  昇降手段（下側支柱）
１６  脚部
１７  キャスター
１８  収納ケース
１９  取付レール
２１  ベッド部
２２  マット
２３  落下防止板
３１  表示部
３２  アイドル画面
４１  加熱器
４２  照明灯
４３  蘇生治療用タイマ
４４  体温計
４５  パルスオキシメータ
４６  蘇生治療装置
４７  警報装置
４８  電源スイッチ
５１  第１操作部（操作部）
５２  第２操作部（操作部）
５３，５４  ペダル操作部
５５  制御部
６１ａ〜６１ｅ  切替操作スイッチ
６２  ヒータ出力表示部
６３  警報音停止スイッチ
６４  体温表示部
６５  心拍数表示部
６６  ＳＰＯ２表示部
６７  タイマ表示部
７１  選択画面
７３  カーソル
７４  確定画面
１０１  保育器
【図１】
2018121732.tif 000003
【図２】
2018121732.tif 000004
【図３】
2018121732.tif 000005
【図４】
2018121732.tif 000006
【図５】
2018121732.tif 000007
【図６】
2018121732.tif 000008
【図７】
2018121732.tif 000009
【図８】
2018121732.tif 000010
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
取扱者が複数の医療機器の操作を行うことが可能な操作部と、前記医療機器及び前記操作部を管理する制御部と、前記医療機器の動作状況及び患者の情報を表示可能な表示部とを備え、
前記操作部は、前記取扱者が手以外の箇所で操作可能な第１操作部を備え、
前記制御部は、複数の前記医療機器のうちからいずれかの医療機器の操作を選択して前記第１操作部に割り当てる選択手段と、前記第１操作部に割り当てられた前記医療機器の操作を実行する実行手段とを備え、
前記選択手段は、
前記表示部に、複数の前記医療機器のうちのいずれかの操作を前記第１操作部に割り当てるための選択画面を表示する選択画面表示手段と、
前記選択画面の表示に続けて前記第１操作部を選択操作時間以内で繰り返し操作したときに、前記第１操作部に割り当てられる前記医療機器の操作を切り替える操作切替手段と、
前記第１操作部にいずれかの前記医療機器の操作が割り当てられた状態で、前記第１操作部を前記選択操作時間を超えて操作したときに、その操作時点において割り当てられている前記医療機器の選択を確定する操作確定手段とを備え、
前記実行手段は、
前記医療機器の選択が確定された状態で、前記第１操作部を操作したときに、その操作時点において選択されている前記医療機器の操作を実行する手段とされることを特徴とする保育器。
【請求項２】
前記選択画面表示手段は、前記第１操作部を選択操作時間以内で操作したときに、前記表示部に前記選択画面を表示することを特徴とする請求項１に記載の保育器。
【請求項３】
前記第１操作部が、前記取扱者が足で操作可能であるペダル操作部であることを特徴とする請求項１又は２に記載の保育器。
【請求項４】
前記操作部は、前記取扱者が手で操作可能な第２操作部を備えることを特徴とする請求項１から３のいずれか一項に記載の保育器。
【手続補正２】
【補正対象書類名】明細書
【補正対象項目名】０００８
【補正方法】変更
【補正の内容】
【０００８】
本発明の保育器は、取扱者が複数の医療機器の操作を行うことが可能な操作部と、前記医療機器及び前記操作部を管理する制御部と、前記医療機器の動作状況及び患者の情報を表示可能な表示部とを備え、前記操作部は、前記取扱者が手以外の箇所で操作可能な第１操作部を備え、前記制御部は、複数の前記医療機器のうちからいずれかの医療機器の操作を選択して前記第１操作部に割り当てる選択手段と、前記第１操作部に割り当てられた前記医療機器の操作を実行する実行手段とを備え、前記選択手段は、前記表示部に、複数の前記医療機器のうちのいずれかの操作を前記第１操作部に割り当てるための選択画面を表示する選択画面表示手段と、前記選択画面の表示に続けて前記第１操作部を選択操作時間以内で繰り返し操作したときに、前記第１操作部に割り当てられる前記医療機器の操作を切り替える操作切替手段と、前記第１操作部にいずれかの前記医療機器の操作が割り当てられた状態で、前記第１操作部を前記選択操作時間を超えて操作したときに、その操作時点において割り当てられている前記医療機器の選択を確定する操作確定手段とを備え、前記実行手段は、前記医療機器の選択が確定された状態で、前記第１操作部を操作したときに、その操作時点において選択されている前記医療機器の操作を実行する手段とされる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
操作情報は、例えば各医療機器の操作を行う第１操作部自体の操作時間の長さや、操作回数、操作位置の違い等のいずれも採用できるが、第１操作部自体の操作時間情報に基づいて選択手段と実行手段とを制御可能とすることで、他の操作回数情報や操作位置情報等により制御する場合と比べて、取扱者は容易に各種医療機器の操作を実行できる。
例えば第１操作部に対する操作回数情報で制御する場合は、第１操作部を何度も踏みなおす必要があるため操作が煩雑になり、入力回数ミス等が生じるおそれがある。また、第１操作部に対する操作位置情報で制御する場合は、第１操作部の踏むべき位置を目視で確認する必要が生じて操作が面倒になることや、第１操作部に複数の検出スイッチを配置する必要があるためコストが高くなることがある。この点、操作時間情報による制御を行うことで、操作回数情報や操作位置情報による制御を行う場合のような、煩雑さや面倒を回避できる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、取扱者は、表示部により医療機器の動作状況及び患者の情報を容易に視認できることから、手以外の箇所で操作する第１操作部であっても、医療機器の動作状況及び患者の情報を正確に把握しながら容易に操作できる。また、第１操作部に割り当てられる医療機器は、取扱者が表示部において容易に確認できるので、操作ミス等のリスクも回避できる。
この場合、前記選択画面表示手段は、前記第１操作部を選択操作時間以内で操作したときに、前記表示部に前記選択画面を表示するものとしてもよい。